(57)【特許請求の範囲】
【請求項１】
顕微鏡に取り付けられる取付部材と、
前記顕微鏡の観察光路を取り囲む遮光手段を挟んで前記取付部材に対向し、前記取付部材とは独立して上下方向に移動する可動部と、
前記可動部の上下方向への移動をガイドするガイド部と、
前記可動部又は前記ガイド部に設けられ、前記可動部を上下方向に移動させるための操作が行われる可動部用操作部と、を備え、
前記ガイド部は、前記顕微鏡の観察者側を正面とする場合の正面視において、前記観察光路から左右方向に離れて位置し、
前記取付部材は、前記遮光手段を挟んで前記可動部に対向する前方部分と、前記ガイド部に固定される後方部分と、を有し、
平面視における前記ガイド部が前記観察光路から離れる側の前記取付部材の側面には、前記前方部分と前記後方部分との間に凹部が形成されている、
ことを特徴とする顕微鏡用高さ調整装置。
【請求項２】
前記可動部用操作部は、前記可動部を上下方向に移動させるための回転操作が行われる可動部用回転ハンドルと、前記可動部用回転ハンドルにおける前記回転操作によって回転するピニオンと、前記可動部を任意の位置に停止させるための重さ出し手段と、を有し、
前記ガイド部は、前記ピニオンに噛み合うラックを有する、
ことを特徴とする請求項１記載の顕微鏡用高さ調整装置。
【請求項３】
前記ガイド部又は前記可動部には、前記ガイド部の高さを表示する高さ表示手段が設けられていることを特徴とする請求項１又は２記載の顕微鏡用高さ調整装置。
【請求項４】
顕微鏡に取り付けられる取付部材と、
前記顕微鏡の観察光路を取り囲む遮光手段を挟んで前記取付部材に対向し、前記取付部材とは独立して上下方向に移動する可動部と、
前記顕微鏡の観察者側を正面とする場合の正面視において、前記観察光路から左右方向に離れて位置し、且つ前記可動部の上下方向への移動をガイドするガイド部と、
前記可動部又は前記ガイド部に設けられ、前記可動部を上下方向に移動させるための操作が行われる可動部用操作部と、
を備える顕微鏡用高さ調整装置と、
前記顕微鏡用高さ調整装置の前記取付部材が取り付けられる顕微鏡本体と、
前記顕微鏡本体を上下方向に移動させるための回転操作が行われる本体用回転ハンドルを有する本体用操作部と、を備え、
前記顕微鏡用高さ調整装置の前記可動部用操作部は、前記可動部を上下方向に移動させるための回転操作が行われる可動部用回転ハンドルを有し、
前記可動部用回転ハンドルは、前記本体用回転ハンドルの上方に位置する、
ことを特徴とする顕微鏡。
【発明の詳細な説明】
【技術分野】
【０００１】
本発明は、顕微鏡用高さ調整装置、及び、顕微鏡用高さ調整装置を備える顕微鏡に関する。
【背景技術】
【０００２】
顕微鏡を利用する場合、通常、利用者が接眼レンズ部を除きながら顕微鏡観察や作業を行っている。このため、顕微鏡のアイポイント位置が利用者の目の位置に合わないと利用者が体をかがめる姿勢で顕微鏡観察や作業をせざるを得ないので、肩や腰にかける負担が大きくなるという問題がある。接眼レンズ部の高さ位置を調整できる鏡筒ユニットもあるが、利用者の身長差が大きく、上記の問題を解決するのは困難である。
【０００３】
また、焦点距離の異なる２つのレンズ群で構成されている光学ユニットを備え、２つのレンズ群間距離を調整可能な顕微鏡装置が提案されている（例えば、特許文献１参照）。この技術を利用すれば、中間像性能を維持して顕微鏡アイポイント位置を５０ｍｍの範囲で連続的に調整ができる。
【先行技術文献】
【特許文献】
【０００４】
【特許文献１】特表２００２−５１９７３０号公報
【発明の概要】
【発明が解決しようとする課題】
【０００５】
ＳＥＭＩ Ｓ８の楽な姿勢規定に示されている身長範囲が１４７１ｍｍ（５％ｉｌｅ アジア女性）〜１８９５ｍｍ（９５％ｉｌｅ アメリカ男性）になっていることから、顕微鏡利用者の身長差が５０ｍｍより大きくなっていることが考えられる。顕微鏡利用者への負担を減軽するためには、アイポイント位置の可能な調整範囲をもっと大きくすること望ましい。
【０００６】
ところで、接眼部が設けられている鏡筒と、支柱に対し上下動可能な顕微鏡本体との間に顕微鏡観察用中間鏡筒が取り付けられる顕微鏡が知られている。このような顕微鏡では、鏡筒の上に写真撮影用のカメラアダプタ及びカメラが取り付けられ、顕微鏡本体には照明ユニットが取り付けられる。これらのユニット、すなわち、カメラアダプタ、カメラ、及び照明ユニットは、通常、顕微鏡光軸中心に対して左右対称に取り付けられており、顕微鏡奥行き方向に伸びている形状をしているものもある。よって、これらのユニットの設置使用領域を確保して顕微鏡アイポイント位置の調整機構、すなわち接眼部の高さ調整装置を構成することが望ましい。
【０００７】
また、接眼部の位置を高くした場合、顕微鏡の重心位置変化が顕微鏡の設置安定性に影響を与えないようにするためには、高さ調整装置をコンパクト、かつ軽量にすることが望ましい。その上、高さ調整装置の操作部が、顕微鏡利用者が操作しやすい位置に配置されることが望ましい。
【０００８】
本発明の目的は、簡素な構成で、顕微鏡利用者が接眼部の高さ調整の操作を行いやすくすることができる、顕微鏡用高さ調整装置及び顕微鏡を提供することである。
【課題を解決するための手段】
【０００９】
１つの態様では、顕微鏡用高さ調整装置は、顕微鏡に取り付けられる取付部材と、前記顕微鏡の観察光路を取り囲む遮光手段を挟んで前記取付部材に対向し、前記取付部材とは独立して上下方向に移動する可動部と、前記可動部の上下方向への移動をガイドするガイド部と、前記可動部又は前記ガイド部に設けられ、前記可動部を上下方向に移動させるための操作が行われる可動部用操作部と、を備え、前記ガイド部は、前記顕微鏡の観察者側を正面とする場合の正面視において、前記観察光路から左右方向に離れて位置し、前記取付部材は、前記遮光手段を挟んで前記可動部に対向する前方部分と、前記ガイド部に固定される後方部分と、を有し、平面視における前記ガイド部が前記観察光路から離れる側の前記取付部材の側面には、前記前方部分と前記後方部分との間に凹部が形成されている。
【００１０】
他の１つの態様では、顕微鏡は、顕微鏡に取り付けられる取付部材と、前記顕微鏡の観察光路を取り囲む遮光手段を挟んで前記取付部材に対向し、前記取付部材とは独立して上下方向に移動する可動部と、前記顕微鏡の観察者側を正面とする場合の正面視において、前記観察光路から左右方向に離れて位置し、且つ前記可動部の上下方向への移動をガイドするガイド部と、前記可動部又は前記ガイド部に設けられ、前記可動部を上下方向に移動させるための操作が行われる可動部用操作部と、を備える顕微鏡用高さ調整装置と、前記顕微鏡用高さ調整装置の前記取付部材が取り付けられる顕微鏡本体と、前記顕微鏡本体を上下方向に移動させるための回転操作が行われる本体用回転ハンドルを有する本体用操作部と、を備え、前記顕微鏡用高さ調整装置の前記可動部用操作部は、前記可動部を上下方向に移動させるための回転操作が行われる可動部用回転ハンドルを有し、前記可動部用回転ハンドルは、前記本体用回転ハンドルの上方に位置する。
【発明の効果】
【００１１】
前記態様によれば、簡素な構成で、顕微鏡利用者が接眼部の高さ調整の操作を行いやすくすることができる。
【図面の簡単な説明】
【００１２】
【図１】顕微鏡用高さ調整装置を示す斜視図である。
【図２】顕微鏡用高さ調整装置を示す平面図である。
【図３】可動部が最も下がった状態における図２のIII−III断面図である。
【図４】可動部が最も下がった状態における図２のIV−IV断面図である。
【図５】顕微鏡用高さ調整装置の一部を斜め後方から見た斜視図である。
【図６】顕微鏡を示す斜視図である。
【図７】顕微鏡を示す平面図である。
【発明を実施するための形態】
【００１３】
以下、本発明の実施の形態に係る顕微鏡用高さ調整装置及び顕微鏡について、図面を参照しながら説明する。
図１及び図２は、本発明の一実施の形態に係る顕微鏡用高さ調整装置１を示す斜視図及び平面図である。
【００１４】
図１及び図２に示す顕微鏡用高さ調整装置１は、取付部材の一例である取付板１０と、可動部２０と、ガイド部３０と、可動部用操作部４０と、遮光手段の一例である蛇腹部材５０と、を備える。
【００１５】
取付板１０は、蛇腹部材５０を挟んで可動部２０の後述する可動板２１に対向する前方部分１０ａと、ガイド部３０に固定される後方部分１０ｂと、を一体に有する。なお、取付板１０は、平板状を呈するが、図６に一例を示す顕微鏡１００に取り付けられるものであれば、形状は特に制限されない。
【００１６】
取付板１０の前方部分１０ａは、後述する可動板２１の前方部分２１ａと平面視において重なる同一形状を呈し、図２に示すように、平面視において、例えば、角の丸まった略四角形状又は略円形状を呈する。なお、前方部分１０ａは、図２に点線で示す観察光路Ｐ（図６の一対の接眼部１５１にそれぞれ対応する１対の２本の光路Ｐ）の中心に対し、顕微鏡１００の観察者側を正面とする場合の左右対称の形状を呈する。
【００１７】
図１に示すように、取付板１０の前方部分１０ａには、周縁にテーパが形成された凸部であるオス丸アリ１０ａ−１が下方に突出するように設けられている。このオス丸アリ１０ａ−１は、図６に示す顕微鏡１００の顕微鏡本体１１０に対し、位置決めされた状態で取り付けられるのに用いられる。また、図２に示すように、取付板１０のオス丸アリ１０ａ−１内には、観察光路Ｐを透過させるための一対の貫通孔１０ａ−２が形成されている。
【００１８】
取付板１０の後方部分１０ｂは、可動板２１の後方部分２１ｂと同一形状を呈さず、図２に示すように、平面視において、例えば、角の丸まった略四角形状を呈する。なお、後方部分１０ｂは、観察光路Ｐから、後述するガイド部３０が観察光路Ｐから離れる側である右方向に離れて位置する。
【００１９】
平面視における取付板１０の右側の側面には、前方部分１０ａと後方部分１０ｂとの間に凹部１０ｃが形成されている。この凹部１０ｃは、一例ではあるが、平面視において曲線状を呈するように切り欠かれている。なお、取付板１０には、反対側（図２における左側）の側面にも、前方部分１０ａと後方部分１０ｂとの間に凹部１０ｄが形成されている。
【００２０】
可動部２０は、観察光路Ｐを取り囲む蛇腹部材５０を挟んで取付板１０の前方部分１０ａに対向する前方部分２１ａを有する可動板２１と、ガイド部３０に沿って上下方向に摺動する摺動部２２と、を有する。可動部２０の可動板２１及び摺動部２２は、互いに固定されている。なお、「固定」という場合には、他の部材を介さない直接的な固定のみならず、他の部材を介した間接的な固定も含まれる。
【００２１】
可動板２１は、取付板１０の前方部分１０ａと同一形状を呈する上記の前方部分２１ａと、摺動部２２に固定される後方部分２１ｂと、を一体に有する。なお、可動板２１には、取付板１０の凹部１０ｃ，１０ｄと平面視において重なるように、凹部１０ｃ，１０ｄと同一形状の凹部２１ｃ，２１ｄが形成されている。また、可動板２１の後方部分２１ｂは、ガイド部３０と干渉するため、取付板１０の後方部分１０ｂと同一形状を呈さず、取付板１０の後方部分１０ｂの形状から、ガイド部３０との干渉部分が省略された形状を呈する。
【００２２】
図５に示すように、可動板２１の前方部分２１ａの上面には、周縁にテーパが形成された凹部であるメス丸アリ２１ａ−１が設けられている。このメス丸アリ２１ａ−１は、図６に示す顕微鏡１００の観察部１５０に対し、位置決めされた状態で取り付けられるのに用いられる。また、可動板２１のメス丸アリ２１ａ−１内には、取付板１０の前方部分１０ａのオス丸アリ１０ａ−１と同様に、顕微鏡１００の観察光路Ｐを透過させるための一対の貫通孔２１ａ−２が形成されている。
【００２３】
摺動部２２は、例えば、上下方向に長手方向を有する直方体形状を呈する。なお、摺動部２２が上下方向に長手方向を有するため、ガイド部３０の後述するラック３２等がむき出しになるのが抑えられている。摺動部２２の下端には、顕微鏡１００の観察者側（すなわち正面側）及び可動部用回転ハンドル４１側（すなわち右側）に突出するフランジ部２２ａが形成されている。
【００２４】
また、摺動部２２の内部には、図３及び図４（可動部が最も下がった状態における図２のIII−III断面図及びIV−IV断面図）に示すように、可動部用操作部４０の後述するピニオン４２がガイド部３０の後述するラック３２に噛み合うための内部空間２２ｂが形成されている。
【００２５】
摺動部２２は、例えばフランジ部２２ａにおいて、可動板２１の後方部分２１ｂに対し固定されている。なお、フランジ部２２ａの観察者側の部分は、図４に示すように、可動板２１の後方部分２１ｂ上に位置する。
【００２６】
ガイド部３０は、図４に示すように下端において取付板１０の後方部分１０ｂに対し複数のビス６０によって固定された柱部材３１と、上下方向に歯が配列され、可動部用操作部４０の後述するピニオン４２に噛み合うラック３２と、可動部２０の摺動部２２が移動可能に例えばビスで固定された状態で摺動部２２の摺動動作をガイドするガイドレール３３と、を有し、可動部２０の上下方向への移動をガイドする。なお、ガイド部３０が上記のように柱部材３１において取付板１０と互いに固定されているため、可動部２０は、取付板１０と独立して上下方向に移動する。
【００２７】
ガイド部３０は、顕微鏡１００の観察者側を正面とする場合の正面視において、観察光路Ｐから右方向（左右方向の一例）に離れて位置する。なお、ガイド部３０は、観察光路Ｐから左方向に離れていてもよい。その場合には、可動部２０や、可動部用操作部４０の後述する可動部用回転ハンドル４１が観察光路Ｐから左方向に離れて位置することになる。
【００２８】
図５に示すように、柱部材３１には、ガイド部２０の高さを表示する高さ表示手段の一例として目盛り３１ａが設けられている。例えば、摺動部２２のフランジ部２２ａの上端（稜線）の位置で観察者が目盛り３１ａを見ることで、可動部２０の高さを認識可能であるとよい。なお、高さ表示手段としては、デジタル表示を行う表示部であってもよい。また、高さ表示手段は、ガイド部３０（柱部材３１）ではなく可動部２０（例えば摺動部２２）に設けられていてもよい。高さ表示手段が可動部２０に設けられている場合には、例えば、柱部材３１に設けられた目印となる部分の位置で可動部２０に表示された目盛りを見ることで、可動部２０の高さを認識可能であるようにするとよい。
【００２９】
可動部用操作部４０は、可動部２０を上下方向に移動させるための操作が行われるユニットであり、図３に示すように、可動部用回転ハンドル４１と、ピニオン４２と、連結軸４３と、重さ出し手段の一例であるバネワッシャ４４と、を有する。
【００３０】
可動部用回転ハンドル４１は、可動部２０を上下方向に移動させるための回転操作が行われる。なお、可動部用回転ハンドル４１は、ガイド部３０が観察光路Ｐから離れる方向の一例である右方向に可動部２０（顕微鏡用高さ調整装置１）から突出するように設けられている。
【００３１】
ピニオン４２は、可動部用回転ハンドル４１側の端部（図３における右端）において、連結軸４３に固定されている。この連結軸４３は、可動部用回転ハンドル４１の内部に固定されている。そのため、ピニオン４２は、可動部用回転ハンドル４１における回転操作によって回転する。
【００３２】
ピニオン４２における可動部用回転ハンドル４１とは反対側の先端（図３における左端）には、ピニオン４２の径方向に突出する先端フランジ部４２ａが形成されている。この先端フランジ部４２ａは、摺動部２２の側面に設けられたザグリ穴４２ｃに面接触している。
【００３３】
可動部２０を任意の位置に停止させるため、換言すると、可動部２０及びこの可動部２０上に取り付けられる図６に示す観察部１５０の自由落下を防ぐための重さ出しのために、ピニオン４２と連結軸４３との間にはバネワッシャ４４が介在している。また、可動部用操作部４０は、ピニオン４２の先端フランジ部４２ａと連結軸４３との間に摺動部２２（及びバネワッシャ４４）を挟み込むことで、可動部２０と一体に上下方向に移動する。
【００３４】
なお、可動部用操作部４０は、可動部２０に設けられているといえるが、可動部２０と一体に上下方向に移動しない構成、すなわち、可動部用操作部４０がガイド部３０に設けられることで可動部２０と一体に上下方向に移動しない構成を採用することも可能である。
【００３５】
ピニオン４２は、上述の摺動部２２の内部空間２２ｂにおいて、ラック３２に噛み合う。そのため、可動部用回転ハンドル４１における回転操作によってピニオン４２が回転することで、ピニオン４２がラック３２に対し上下方向に移動する。これにより、可動部用操作部４０と一体に移動する可動部２０が、ガイド部３０に対し上下方向に移動する。
【００３６】
蛇腹部材５０は、上下方向に中心軸を有する円筒形状を呈し、可動部２０の上下方向の移動に伴って、上下方向に伸縮する。蛇腹部材５０の下端は、例えばビスにより取付板１０の１０ａに固定され、蛇腹部材５０の上端は、例えばビスにより可動板２１の前方部分２１ａに固定されている。これにより、蛇腹部材５０は、観察光路Ｐを取り囲む。なお、蛇腹部材５０の内部では、観察光路Ｐはレンズ等の光学素子を介さず空間上に位置する平行光であるが、取付板１０の前方部分１０ａと可動板２１の前方部分２１ａとの間の観察光路Ｐが光学素子内を通る場合には、遮光手段は光学素子の外周に設けられることになる。
【００３７】
図６及び図７は、本発明の一実施の形態に係る顕微鏡１００を示す斜視図及び平面図である。
図６に示す顕微鏡１００は、上述の顕微鏡用高さ調整装置１と、顕微鏡本体１１０と、対物レンズ１２０と、支柱１３０と、架台ベース部１４０と、観察部１５０と、本体用操作部１６０と、を備える。
【００３８】
顕微鏡本体１１０は、上端に設けられた図示しないメス丸アリに図１に示す上述の取付板１０のオス丸アリ１０ａ−１が挿入された状態で取付板１０が取り付けられることで、顕微鏡用高さ調整装置１を取り付けられる。
【００３９】
顕微鏡本体１１０には、左右のそれぞれに突出するように一対のズーム用回転ハンドル１１１が設けられている。この一対のズーム用回転ハンドル１１１のうち、ガイド部３０と同様に観察光路Ｐから右方向に離れて位置する一方のズーム用回転ハンドル１１１は、上述の取付板１０の凹部１０ｃの下方に位置する。なお、取付板１０における前方部分１０ａと後方部分１０ｂとの間の部分のうち、平面視においてズーム用回転ハンドル１１１と重なる部分が切り欠かれることで凹部１０ｃが形成されているといえる。
【００４０】
顕微鏡本体１１０は、下端に対物レンズ１２０が着脱可能に取り付けられる。また、顕微鏡本体１１０は、支柱１３０によってガイドされた状態で、支柱１３０に沿って上下方向に移動する。なお、支柱１３０は、架台ベース部１４０に固定されている。
【００４１】
観察部１５０は、左右一対の接眼部１５１と、撮像部１５２と、を有する。観察部１５０は、下端の図示しないオス丸アリに図５に示す上述の可動板２１のメス丸アリ２１ａ−１が挿入された状態で可動板２１が取り付けられることで、顕微鏡用高さ調整装置１に取り付けられる。そのため、可動部２０が上下方向に移動することで、観察部１５０は可動部２０と一体に上下方向に移動する。
【００４２】
本体用操作部１６０は、左右のそれぞれに突出する一対の本体用回転ハンドル１６１を有する。図７に示すように、上述の顕微鏡用高さ調整装置１の可動部用回転ハンドル４１は、一対の本体用回転ハンドル１６１のうちガイド部３０と同様に観察光路Ｐから右方向に離れて位置する一方の本体用回転ハンドル１６１の上方に位置する。これにより、可動部用回転ハンドル４１の少なくとも一部は、平面視において、本体用回転ハンドル１６１の少なくとも一部と重なるように位置する。
【００４３】
以上説明した本実施の形態では、顕微鏡用高さ調整装置１及びこの顕微鏡用高さ調整装置１を備える顕微鏡１００は、顕微鏡１００（顕微鏡本体１１０）に取り付けられる取付部材の一例である取付板１０と、顕微鏡１００の観察光路Ｐを取り囲む遮光手段の一例である蛇腹部材５０を挟んで取付板１０に対向し、取付板１０とは独立して上下方向に移動する可動部２０と、可動部２０の上下方向への移動をガイドするガイド部３０と、可動部２０（又はガイド部３０）に設けられ、可動部２０を上下方向に移動させるための操作が行われる可動部用操作部４０と、を備える。また、ガイド部３０は、顕微鏡１００の観察者側を正面とする場合の正面視において、観察光路Ｐから右方向（左右方向の一例）に離れて位置する。
【００４４】
これにより、ガイド部３０が顕微鏡１００の例えば観察部１５０の設置スペースに干渉するのを抑えることができるため、観察光路Ｐから左右方向に離れた位置においてコンパクトかつ軽量な顕微鏡用高さ調整装置１の構成を採用することが可能になる。更には、可動部用操作部４０は、観察光路Ｐから左右方向に離れて位置するガイド部３０によってガイドされる可動部２０、又はガイド部３０に対して設けられるため、顕微鏡１００の観察者が可動部用操作部４０（可動部用回転ハンドル４１）を操作しやすくなる。
【００４５】
よって、本実施の形態によれば、簡素な構成で、顕微鏡１００の利用者が接眼部１５１の高さ調整の操作を行いやすくすることができる。
また、本実施の形態では、可動部用操作部４０は、可動部２０を上下方向に移動させるための回転操作が行われる可動部用回転ハンドル４１と、可動部用回転ハンドル４１における回転操作によって回転するピニオン４２と、可動部２０を任意の位置に停止させるための重さ出し手段の一例であるバネワッシャ４４と、を有し、ガイド部３０は、ピニオン４２に噛み合うラック３２を有する。そのため、ラック＆ピニオンを用いることで、一層簡素な構成にすることができるとともに、可動部用回転ハンドル４１を用いることで、接眼部１５１の高さ調整の操作を一層行いやすくすることができる。
【００４６】
また、本実施の形態では、ガイド部３０（又は可動部２０）には、ガイド部２０の高さを表示する高さ表示手段の一例である、柱部材３１の目盛り３１ａが設けられている。そのため、調整した可動部２０の高さを顕微鏡１００の観察者が容易に認識することができることで、ガイド部２０の高さを所望の高さに調整する作業が容易になる。したがって、目盛り３１ａを用いた一層簡素な構成で、接眼部１５１の高さ調整の操作を一層行いやすくすることができる。
【００４７】
また、本実施の形態では、取付板１０は、蛇腹部材５０を挟んで可動部２０に対向する前方部分１０ａと、ガイド部２０に固定される後方部分１０ｂと、を有し、平面視におけるガイド部２０が観察光路Ｐから離れる側の取付板１０の側面には、前方部分１０ａと後方部分１０ｂとの間に凹部１０ｃが形成されている。そのため、顕微鏡１００（例えばズーム用回転ハンドル１１１）を操作する観察者の手や顕微鏡１００自体の構成との干渉を防ぐことができる。したがって、一層簡素な構成で、接眼部１５１の高さ調整の操作を一層行いやすくすることができる。
【００４８】
また、本実施の形態では、顕微鏡１００は、顕微鏡用高さ調整装置１の取付板１０が取り付けられる顕微鏡本体１１０と、顕微鏡本体１１０を上下方向に移動させるための回転操作が行われる本体用回転ハンドル１６１を有する本体用操作部１６０と、を備える。また、顕微鏡用高さ調整装置１の可動部用操作部４０は、可動部２０を上下方向に移動させるための回転操作が行われる可動部用回転ハンドル４１を有し、可動部用回転ハンドル４１は、本体用回転ハンドル１６１の上方に位置する。そのため、可動部用回転ハンドル４１と本体用回転ハンドル１６１とが上下に並んだ簡素な構成で、顕微鏡１００の観察者が可動部用回転ハンドル４１及び本体用回転ハンドル１６１の操作を一層行いやすくすることができる。
【符号の説明】
【００４９】
１      顕微鏡用高さ調整装置
１０      取付板
１０ａ      前方部分
１０ａ−１      オス丸アリ
１０ａ−２      貫通孔
１０ｂ      後方部分
１０ｃ，１０ｄ      凹部
２０      可動部
２１      可動板
２１ａ      前方部分
２１ａ−１      メス丸アリ
２１ａ−２      貫通孔
２１ｂ      後方部分
２１ｃ，２１ｄ      凹部
２２      摺動部
２２ａ      フランジ部
２２ｂ      内部空間
２２ｃ      ザグリ穴
３０      ガイド部
３１      柱部材
３１ａ      目盛り
３２      ラック
３３      ガイドレール
４０      可動部用操作部
４１      可動部用回転ハンドル
４２      ピニオン
４２ａ      先端フランジ部
４３      連結軸
４４      バネワッシャ
５０      蛇腹部材
６０      ビス
１００      顕微鏡
１１０      顕微鏡本体
１１１      ズーム用回転ハンドル
１２０      対物レンズ
１３０      支柱
１４０      架台ベース部
１５０      観察部
１５１      接眼部
１５２      撮像部
１６０      本体用操作部
１６１      本体用回転ハンドル
【図１】
0006559560.tif 000002
【図２】
0006559560.tif 000003
【図３】
0006559560.tif 000004
【図４】
0006559560.tif 000005
【図５】
0006559560.tif 000006
【図６】
0006559560.tif 000007
【図７】
0006559560.tif 000008